(57)【要約】      （修正有）【課題】収穫前の植物に農作業を施した際に、その作業記録を後日に識別でき、植物に簡便に取り付けられる農作業用識別部材を提供する。【解決手段】農作業の種類および日付を後日に識別できるようにした本体部分１に、植物へ取り付けるための切れ目３ａを有する弾性リング状部分３が、頚部２を介して一体に連結されている。【選択図】図１
0003172473.tif 000002
【実用新案登録請求の範囲】
【請求項１】
収穫前の植物に農作業を施した際に、上記農作業の種類および日付を後日に識別できるように、上記植物に取り付けるための識別部材において、上記農作業の種類および日付の識別を行うための本体部分と、同本体部分に連設されて上記植物に装着されるための切れ目付き弾性リング状部分とが具備されていることを特徴とする、農作業用識別部材。
【請求項２】
上記弾性リング状部分の上記切れ目において、互いに向き合っている端部が、上記植物への取り付けの際に同植物を傷めないための凸湾曲面を有する膨大部として形成されていることを特徴とする、請求項１に記載の農作業用識別部材。
【請求項３】
上記の本体部分と切れ目付き弾性リング状部分とが、頚部を介し連結されるようにして、プラスチック材により一体に成型されていることを特徴とする、請求項１または２に記載の農作業用識別部材。
【考案の詳細な説明】
【技術分野】
【０００１】  本考案は、トマトやスイカなどの実のなる植物や、観賞用の花を咲かせる植物などについて、人工授粉、ホルモン剤の散布などの農作業を施した場合に、その作業日と作業の種類を記録できるように、同植物に付設するための農作業用識別部材を提供しようとするものである。
【背景技術】
【０００２】  従来の農作業用識別部材としては、荷札のごとき紙片の頭部に細い針金を備えたものが用いられており、上記紙片に人工授粉などの農作業を施した日付を記入して、上記針金を植物に巻き付けることなどが行われている。
しかしながら、針金を植物の枝などに巻きつけるためには、両手で操作する必要があり、多くの作業時間を必要とするという不具合がある。
【考案の開示】
【考案が解決しようとする課題】
【０００３】  本考案は、植物の花の根元や枝などに、実施した農作業の種類や日付などを判別できるようにした識別部材を取り付ける際に、片手でも簡単に操作できるようにして、能率よく取り付け操作を行えるようにした農作業用識別部材を提供することを課題とする。
【課題を解決するための手段】
【０００４】  前述の課題を解決するため、本考案の農作業用識別部材は、収穫まえの植物に農作業を施した際に、上記農作業の種類および日付を後日に識別できるように、上記植物に取り付けるための識別部材において、上記農作業の種類および日付識別を行うための本体部分と、同本体部分に連接されて上記植物に装着されるための切れ目を有する弾性リング状部分とが具備されていることを特徴としている。【０００５】  また、本考案の農作業用識別部材は、上記弾性リング状部分の上記切れ目において、互いに向き合っている端部が、上記植物への取り付けの際に同植物を傷めないための凸湾曲面を有する膨大部として形成されていることを特徴としている。【０００６】  さらに、本考案の農作業用識別部材は、上記の本体部分と上記の切れ目を有する弾性リング状部分とが、頸部を介し連結されるようにして、プラスチック材により一体に成型されていることを特徴としている。
【考案の効果】
【０００７】    上述の本考案の農作業用識別部材では、農作物を得るための植物に対し農作業を行った際に、その農作業の種類と作業日とを予め記入しておくか又は色別にして判別できるようにした本体部分の上部と、リング状部分の下部とを、片手の親指で中指へ押し付けるように把持しながら、人指ゆびで上記弾性リング状部分の切れ目を押し開くように操作して、他方の手で予め引き寄せておいた植物の茎や枝などを上記弾性リング状部分の内部へ嵌め込むようにして、この識別部材の装着を著しく簡便に行うことが可能になる。【０００８】    そして、上記弾性リング状部分の上記切れ目において、互いに向き合っている端部が、凸湾曲面を有する膨大部として形成されているので、上記植物の枝などの表面を上記端部が擦つても、上記凸湾曲面が円滑に通過できるようになり、これにより上記植物を傷めないようにしながら能率よく作業を行うことができるようになる。【０００９】    また、上記の本体部分と弾性リング状部分とが、プラスチック材により一体に成型加工されていると、その製造に際しては著しく簡便に大量生産を行うことが可能となる。【００１０】    さらに、上記プラスチック材を色別に揃えておき、農作業を行った際に、例えば、赤色のものは○月○日に授粉作業を行い、青色のものは□月□日にホルモン剤の散布作業を行ったというように作業日誌に記録しておくことにより、上記本体部分に作業日や作業の種類を書き込む手間を省けるようにすることも可能になる。
【実施例】
【００１１】    本考案による農作業用識別部材について、図１はその一実施例としてのプラスチック製の農作業用識別部材を示す正面図、図２はその使用の際に片手で操作する状態を示す説明図である。【００１２】    図１に示すように、本実施例の農作業用識別部材Ａはトマトやスイカなどの植物に、人工授粉やホルモン剤の散布などの農作業を施した際に、その農作業の種類および日付を後日に識別することができるようにするため、識別用の本体部分１と、同本体部分１の上縁に頚部２を介し一体に連接されて上記植物の枝や茎などに装着されるための切れ目３ａ付き弾性リング状部分３とを具備するようにして構成されている。【００１３】    そして、弾性リング状部分３の切れ目３ａにおいて、互いに向き合っている端部３ｂ，３ｃは、植物の枝や茎などへの取り付けの際に同植物を傷めないようにするための球面状の凸湾曲面を有する膨大部として形成されている。【００１４】    上述のように構成される農作業用識別部材Ａは、アルミ板のごとき軽量材の打ち抜き加工により製作されてもよいが、本実施例では、本体部分１と弾性リング状部分３とが細い頚部２を介し連結されるようにして、プラスチック材により一体に成型されている。
これにより、弾性リング状部分３の切れ目３ａを形成するように対向する一対の球面状膨大部分３ｂ、３ｃを具えるようにした成型加工が、簡便に行われるようになる。【００１５】    本実施例の農作業用識別部材は、上述のように構成されているので、農作業において上記識別部材Ａを用いる場合、農作物を得るための植物に対し農作業を行った際に、その農作業の種類と作業日とを予め記入しておくか、又は色別にして判別できるようにした本体部分１の上部と、リング状部分３の下部とを図２に示すように、片手Ｈの親ゆび４で中ゆび５へ押し付けるようにしながら、人指しゆび６で弾性リング状部分３の切れ目３ａ押し開くように操作して、他方の手で予め引き寄せておいた植物の茎または枝などを、切れ目３ａに通して弾性リング状部分３の内部へ嵌め込む操作が行われる。【００１６】  このようにして、植物の茎や枝などへの識別部材Ａの装着が、上記の枝や茎などを傷めないようにしながら効率よく簡便に行われるようになる。
【図面の簡単な説明】
【００１７】
【図１】  本考案の一実施例としての農作業用識別部材を示す正面図である。
【図２】  図１の農作業用識別部材の使用の際の操作状態を示す説明図である。る。
【符号の説明】
【００１８】  １      本体部分
２      頚部
３      弾性リング状部分
３ａ    切れ目
３ｂ，３ｃ    膨大部
４      親ゆび
５      中ゆび
６      人指しゆび
Ａ      農作業用識別部材
Ｈ      片手
【図１】
0003172473.tif 000003
【図２】
0003172473.tif 000004